(57)【特許請求の範囲】
【請求項１】
無線端末であって、
前記無線端末が特別な下り制御チャネルを受信するための第１の制御情報を受信する制御部を備え、
前記特別な下り制御チャネルは、ユーザデータを送受信するための接続が確立されていない第１セルから前記無線端末への制御情報を運び、
前記制御部は、前記特別な下り制御チャネル上で、前記第１セルにおける上りリンク干渉を低減するための第２の制御情報を前記第１セルから直接受信する無線端末。
【請求項２】
前記制御部は、前記無線端末のサービングセルである第２セルから、前記第１の制御情報を受信する請求項１に記載の無線端末。
【請求項３】
前記制御部は、前記第１セルから前記第１の制御情報をユニキャスト又はブロードキャストにより受信する請求項１に記載の無線端末。
【請求項４】
前記制御部は、前記第２の制御情報に基づいて、送信電力を低減する請求項１に記載の無線端末。
【請求項５】
前記制御部は、前記無線端末の送信電力が低減されることを示す情報を前記無線端末のサービングセルである第２セルへ送信する請求項４に記載の無線端末。
【請求項６】
前記制御部は、前記第２の制御情報の受信に応じて、前記第２の制御情報の内容を、前記無線端末のサービングセルである第２セルへ送信する請求項１に記載の無線端末。
【請求項７】
前記制御部は、送信電力を低減するための第３の制御情報を前記第２セルから受信する請求項６に記載の無線端末。
【請求項８】
基地局であって、
無線端末が特別な下り制御チャネルを受信するための第１の制御情報を前記無線端末へ通知する制御を実行する制御部を備え、
前記特別な下り制御チャネルは、ユーザデータを送受信するための接続が確立されていない前記無線端末への制御情報を運び、
前記制御部は、前記特別な下り制御チャネル上で、前記基地局における上りリンク干渉を低減するための第２の制御情報を前記無線端末へ直接送信する基地局。
【請求項９】
前記制御部は、前記第１の制御情報を前記無線端末へ通知するための要求を前記無線端末が在圏するセルを管理する他の基地局へ送る請求項８に記載の基地局。
【請求項１０】
前記制御部は、前記第１の制御情報をユニキャスト又はブロードキャストにより前記無線端末へ直接送信する請求項８に記載の基地局。
【請求項１１】
基地局であって、
無線端末が在圏するセルを管理する制御部を備え、
前記制御部は、前記無線端末が特別な下り制御チャネルを受信するための第１の制御情報を前記無線端末へ送信し、
前記特別な下り制御チャネルは、ユーザデータを送受信するための接続が確立されていない他の基地局から前記無線端末へ第２の制御情報を運び、
前記第２の制御情報は、前記他の基地局における上りリンク干渉を低減するための情報である基地局。
【請求項１２】
前記制御部は、前記無線端末の送信電力が低減されることを示す情報を前記無線端末から受信する請求項１１に記載の基地局。
【請求項１３】
前記制御部は、前記第２の制御情報の内容を、前記無線端末から受信し、
前記制御部は、前記無線端末の送信電力を低減するための第３の制御情報を前記無線端末へ送信する請求項１１に記載の基地局。
【発明の詳細な説明】
【技術分野】
【０００１】
本開示は、無線端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セル間干渉を低減するためにＩＣＩＣ（Ｉｎｔｅｒ−ｃｅｌｌ  Ｉｎｔｅｒｆｅｒｅｎｃｅ  Ｃｏｏｒｄｉｎａｔｉｏｎ）技術が導入されている（非特許文献１参照）。ＩＣＩＣ技術では、使用する無線リソースをセル間で協調することにより、セル間干渉を低減する。
【先行技術文献】
【非特許文献】
【０００３】
【非特許文献１】３ＧＰＰ技術仕様書「ＴＳ３６．３００  Ｖ１３．３．０」  ２０１６年４月１日
【発明の概要】
【０００４】
一の実施形態に係る無線端末は、前記無線端末が特別な下り制御チャネルを受信するための第１の制御情報を受信する制御部を備える。前記特別な下り制御チャネルは、ユーザデータを送受信するための接続が確立されていない第１セルから前記無線端末への制御情報を運ぶ。前記制御部は、前記特別な下り制御チャネル上で、前記第１セルにおける上りリンク干渉を低減するための第２の制御情報を前記第１のセルから直接受信する。
【０００５】
一の実施形態に係る基地局は、無線端末が特別な下り制御チャネルを受信するための第１の制御情報を前記無線端末へ通知する制御を実行する制御部を備える。前記特別な下り制御チャネルは、ユーザデータを送受信するための接続が確立されていない前記無線端末への制御情報を運ぶ。前記制御部は、前記特別な下り制御チャネル上で、前記基地局における上りリンク干渉を低減するための第２の制御情報を前記無線端末へ直接送信する。
【０００６】
一の実施形態に係る基地局は、無線端末が在圏するセルを管理する制御部を備える。前記制御部は、前記無線端末が特別な下り制御チャネルを受信するための第１の制御情報を前記無線端末へ送信する。前記特別な下り制御チャネルは、ユーザデータを送受信するための接続が確立されていない他の基地局から前記無線端末へ第２の制御情報を運ぶ。前記第２の制御情報は、前記他の基地局における上りリンク干渉を低減するための情報である。
【０００７】
一の実施形態に係る基地局は、制御部を備える。前記制御部は、アンライセンスドスペクトラムにおけるチャネルが空いているか否かを判定する処理と、前記チャネルが空いていると判定した第１タイミングと、参照信号又はデータ信号の送信を開始する第２タイミングとの間で、前記チャネルにおいて制御情報を他の基地局へ送信する処理と、を制御する。前記制御情報は、前記基地局における無線端末からの上りリンク干渉を低減するための情報である。前記無線端末は、ユーザデータを送受信するための接続が前記基地局と確立されてない。
【０００８】
一の実施形態に係る基地局は、制御部を備える。前記制御部は、アンライセンスドスペクトラムにおけるチャネルが空いているか否かを判定する処理と、前記チャネルが空いていると判定した第１タイミングと、参照信号又はデータ信号の送信を開始する第２タイミングとの間で、前記基地局における上りリンク干渉を低減するための制御情報を、前記チャネルにおいて、ユーザデータを送受信するための接続が前記基地局と確立されていない無線端末へ送信する処理と、を制御する。
【図面の簡単な説明】
【０００９】
【図１】図１は、ＬＴＥシステムの構成を示す図である。
【図２】図２は、ＬＴＥシステムにおける無線インターフェイスのプロトコルスタック図である。
【図３】図３は、ＬＴＥシステムで使用される無線フレームの構成図である。
【図４】図４は、ＵＥ１００のブロック図である。
【図５】図５は、ｅＮＢ２００のブロック図である。
【図６】図６は、動作環境を説明するための図である。
【図７】図７は、第１実施形態に係る動作（その１）を説明するためのシーケンス図である。
【図８】図８は、第１実施形態に係る動作（その２）を説明するためのシーケンス図である。
【図９】図９は、第１実施形態に係る動作（その３）を説明するためのシーケンス図である。
【図１０】図１０は、第１実施形態に係る動作（その４）を説明するためのシーケンス図である。
【図１１】図１１は、第１実施形態の変更例１を説明するためのシーケンス図である。
【図１２】図１２は、第１実施形態の変更例２を説明するためのシーケンス図である。
【図１３】図１３は、第１実施形態の変更例３を説明するためのシーケンス図である。
【図１４】図１４は、第１実施形態の変更例４を説明するための図である。
【図１５】図１５は、第２実施形態を説明するためのシーケンス図である。
【図１６】図１６は、第２実施形態の変更例を説明するためのシーケンス図である。
【発明を実施するための形態】
【００１０】
［実施形態の概要］
今後、セルの小型化に伴って、多数のセルが高密度で配置することが想定される。
【００１１】
セル数の増加により、セル間での協調が複雑になる虞がある。その結果、既存のＩＣＩＣ技術では、セル間干渉を十分に低減できない可能性がある。
【００１２】
一の実施形態に係る無線端末は、前記無線端末が特別な下り制御チャネルを受信するための第１の制御情報を受信する制御部を備えてもよい。前記特別な下り制御チャネルは、ユーザデータを送受信するための接続が確立されていない第１セルから前記無線端末への制御情報を運んでもよい。前記制御部は、前記特別な下り制御チャネル上で、前記第１セルにおける上りリンク干渉を低減するための第２の制御情報を前記第１のセルから直接受信してもよい。
【００１３】
前記制御部は、前記無線端末のサービングセルである第２セルから、前記第１の制御情報を受信してもよい。
【００１４】
前記制御部は、前記第１のセルから前記第１の制御情報をユニキャスト又はブロードキャストにより受信してもよい。
【００１５】
前記制御部は、前記第２の制御情報に基づいて、送信電力を低減してもよい。
【００１６】
前記制御部は、前記無線端末の送信電力が低減されることを示す情報を前記無線端末のサービングセルである第２セルへ送信してもよい。
【００１７】
前記制御部は、前記第２の制御情報の受信に応じて、前記第２の制御情報の内容を、前記無線端末のサービングセルである第２セルへ送信してもよい。
【００１８】
前記制御部は、送信電力を低減するための第３の制御情報を前記第２のセルから受信してもよい。
【００１９】
一の実施形態に係る基地局は、無線端末が特別な下り制御チャネルを受信するための第１の制御情報を前記無線端末へ通知する制御を実行する制御部を備えてもよい。前記特別な下り制御チャネルは、ユーザデータを送受信するための接続が確立されていない前記無線端末への制御情報を運んでもよい。前記制御部は、前記特別な下り制御チャネル上で、前記基地局における上りリンク干渉を低減するための第２の制御情報を前記無線端末へ直接送信してもよい。
【００２０】
前記制御部は、前記第１の制御情報を前記無線端末へ通知するための要求を前記無線端末が在圏するセルを管理する他の基地局へ送ってもよい。
【００２１】
前記制御部は、前記第１の制御情報をユニキャスト又はブロードキャストにより前記無線端末へ直接送信してもよい。
【００２２】
一の実施形態に係る基地局は、無線端末が在圏するセルを管理する制御部を備えてもよい。前記制御部は、前記無線端末が特別な下り制御チャネルを受信するための第１の制御情報を前記無線端末へ送信してもよい。前記特別な下り制御チャネルは、ユーザデータを送受信するための接続が確立されていない他の基地局から前記無線端末へ第２の制御情報を運んでもよい。前記第２の制御情報は、前記他の基地局における上りリンク干渉を低減するための情報であってもよい。
【００２３】
前記制御部は、前記無線端末の送信電力が低減されることを示す情報を前記無線端末から受信してもよい。
【００２４】
前記制御部は、前記第２の制御情報の内容を、前記無線端末から受信してもよい。前記制御部は、前記無線端末の送信電力を低減するための第３の制御情報を前記無線端末へ送信してもよい。
【００２５】
一の実施形態に係る基地局は、制御部を備えてもよい。前記制御部は、アンライセンスドスペクトラムにおけるチャネルが空いているか否かを判定する処理と、前記チャネルが空いていると判定した第１タイミングと、参照信号又はデータ信号の送信を開始する第２タイミングとの間で、前記チャネルにおいて制御情報を他の基地局へ送信する処理と、を制御してもよい。前記制御情報は、前記基地局における無線端末からの上りリンク干渉を低減するための情報であってもよい。前記無線端末は、ユーザデータを送受信するための接続が前記基地局と確立されてなくてもよい。
【００２６】
前記制御部は、前記参照信号又は前記データ信号の送信を開始した後、前記チャネルにおける空きリソースを用いて前記制御情報を送信する処理を制御してもよい。
【００２７】
一の実施形態に係る基地局は、制御部を備えてもよい。前記制御部は、アンライセンスドスペクトラムにおけるチャネルが空いているか否かを判定する処理と、前記チャネルが空いていると判定した第１タイミングと、参照信号又はデータ信号の送信を開始する第２タイミングとの間で、前記基地局における上りリンク干渉を低減するための制御情報を、前記チャネルにおいて、ユーザデータを送受信するための接続が前記基地局と確立されていない無線端末へ送信する処理と、を制御してもよい。
【００２８】
［システム概略］
（移動通信システム）
実施形態に係る移動通信システムであるＬＴＥシステムについて説明する。図１は、ＬＴＥシステムの構成を示す図である。
【００２９】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３０】
ＵＥ１００は、無線端末に相当する。ＵＥ１００は、移動型の通信装置である。ＵＥ１００は、セル（後述するｅＮＢ２００）と無線通信を行う。ＵＥ１００の構成については後述する。
【００３１】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３２】
ｅＮＢ２００は、１又は複数のセルを管理する。ｅＮＢ２００は、ｅＮＢ２００が管理するセルとの接続を確立したＵＥ１００との無線通信を行う。ｅＮＢ２００は、無線リソース管理（ＲＲＭ）機能、ユーザデータ（以下、「データ」と称することがある）のルーティング機能、モビリティ制御・スケジューリングのための測定制御機能等を有する。「セル」は、無線通信エリアの最小単位を示す用語として使用される。「セル」は、ＵＥ１００との無線通信を行う機能を示す用語としても使用されてもよい。
【００３３】
ＥＰＣ２０は、コアネットワークに相当する。ＥＰＣ２０は、Ｅ−ＵＴＲＡＮ１０と共にネットワークを構成してもよい。ＥＰＣ２０は、ＭＭＥ（Ｍｏｂｉｌｉｔｙ  Ｍａｎａｇｅｍｅｎｔ  Ｅｎｔｉｔｙ）３００、ＳＧＷ（Ｓｅｒｖｉｎｇ  Ｇａｔｅｗａｙ）４００及びＰＧＷ（Ｐａｃｋｅｔ  Ｄａｔａ  Ｎｅｔｗｏｒｋ  Ｇａｔｅｗａｙ）５００を含む。
【００３４】
ＭＭＥ３００は、例えば、ＵＥ１００に対する各種モビリティ制御を行う。ＳＧＷ４００は、例えば、データの転送制御を行う。ＭＭＥ３００及びＳＧＷ４００は、Ｓ１インターフェイスを介してｅＮＢ２００と接続される。ＰＧＷ５００は、例えば、外部ネットワークから（及び外部ネットワークに）ユーザデータを中継する制御を行う。
【００３５】
図２は、ＬＴＥシステムにおける無線インターフェイスのプロトコルスタック図である。図２に示すように、無線インターフェイスプロトコルは、ＯＳＩ参照モデルの第１層乃至第３層に区分される。第１層は、物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３７】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、スケジューラ（ＭＡＣ  スケジューラ）を含む。スケジューラは、上下リンクのトランスポートフォーマット（トランスポートブロックサイズ、変調・符号化方式（ＭＣＳ：Ｍｏｄｕｌａｔｉｏｎ  ａｎｄ  Ｃｏｄｉｎｇ  Ｓｃｈｅｍｅ））及びＵＥ１００への割当リソースブロックを決定する。
【００３８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００３９】
ＰＤＣＰ層は、ヘッダ圧縮・伸張、及び暗号化・復号化を行う。
【００４０】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は、ＲＲＣコネクティッド状態である。ＵＥ１００のＲＲＣとｅＮＢ２００のＲＲＣとの間にＲＲＣ接続がない場合、ＵＥ１００は、ＲＲＣアイドル状態である。
【００４１】
ＲＲＣ層の上位に位置するＮＡＳ（Ｎｏｎ−Ａｃｃｅｓｓ  Ｓｔｒａｔｕｍ）層は、例えば、セッション管理及びモビリティ管理を行う。
【００４２】
図３は、ＬＴＥシステムで使用される無線フレームの構成図である。ＬＴＥシステムにおいて、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が適用される。上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が適用される。
【００４３】
図３に示すように、無線フレームは、時間方向に並ぶ１０個のサブフレームで構成される。各サブフレームは、時間方向に並ぶ２個のスロットで構成される。各サブフレームの長さは１ｍｓである。各スロットの長さは０．５ｍｓである。各サブフレームは、周波数方向に複数のリソースブロック（ＲＢ：Ｒｅｓｏｕｒｃｅ  Ｂｌｏｃｋ）を含む。各サブフレームは、時間方向に複数のシンボルを含む。各リソースブロックは、周波数方向に複数のサブキャリアを含む。１つのシンボル及び１つのサブキャリアにより、１つのリソースエレメント（ＲＥ：Ｒｅｓｏｕｒｃｅ  Ｅｌｅｍｅｎｔ）が構成される。ＵＥ１００には、無線リソース（時間・周波数リソース）が割り当てられる。周波数方向において、無線リソース（周波数リソース）は、リソースブロックにより構成される。時間方向において、無線リソース（時間リソース）は、サブフレーム（又はスロット）により構成される。
【００４４】
下りリンクにおいて、各サブフレームの先頭数シンボルの区間は、下りリンク制御信号を伝送するための物理下りリンク制御チャネル（ＰＤＣＣＨ：Ｐｈｙｓｉｃａｌ  Ｄｏｗｎｌｉｎｋ．  Ｃｏｎｔｒｏｌ  Ｃｈａｎｎｅｌ）として使用可能な領域である。各サブフレームの残りの部分は、下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として使用可能な領域である。
【００４５】
上りリンクにおいて、各サブフレームにおける周波数方向の両端部は、上りリンク制御信号を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として使用可能な領域である。各サブフレームにおける残りの部分は、上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として使用可能な領域である。
【００４６】
（無線端末）
実施形態に係るＵＥ１００（無線端末）について説明する。図４は、ＵＥ１００のブロック図である。図４に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。
【００４７】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換する。レシーバ１１０は、ベースバンド信号をコントローラ１３０に出力する。
【００４８】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換する。トランスミッタ１３０は、無線信号をアンテナから送信する。
【００４９】
コントローラ１３０は、ＵＥ１００における各種の制御を行う。コントローラ１３０は、プロセッサ及びメモリを含む。メモリは、プロセッサにより実行されるプログラム、及びプロセッサによる処理に使用される情報を記憶する。プロセッサは、ベースバンドプロセッサとＣＰＵ（Ｃｅｎｔｒａｌ  Ｐｒｏｃｅｓｓｉｎｇ  Ｕｎｉｔ）とを含む。ベースバンドプロセッサは、例えば、ベースバンド信号の変調・復調及び符号化・復号を行う。ＣＰＵは、メモリに記憶されるプログラムを実行することにより、各種の処理を行う。プロセッサは、音声・映像信号の符号化・復号を行うコーデックを含んでもよい。プロセッサは、後述する各種の処理及び上述した各種の通信プロトコルを実行する。
【００５０】
ＵＥ１００は、ＧＮＳＳ受信機を備えていてもよい。ＧＮＳＳ受信機は、ＵＥ１００の地理的な位置を示す位置情報を得るために、ＧＮＳＳ信号を受信できる。ＧＮＳＳ受信機は、ＧＮＳＳ信号をコントローラ１３０に出力する。ＵＥ１００は、ＵＥ１００の位置情報を取得するためのＧＰＳ機能を有していてもよい。
【００５１】
本明細書では、ＵＥ１００が備えるレシーバ１１０、トランスミッタ１２０及びコントローラ１３０の少なくともいずれかが実行する処理を、便宜上、ＵＥ１００が実行する処理（動作）として説明する。
【００５２】
（基地局）
実施形態に係るｅＮＢ２００（基地局）について説明する。図５は、ｅＮＢ２００のブロック図である。図５に示すように、ｅＮＢ２００は、レシーバ（受信部）２１０、トランスミッタ（送信部）２２０、コントローラ（制御部）２３０、及びネットワークインターフェイス２４０を備える。トランスミッタ２１０とレシーバ２２０は、一体化されたトランシーバ（送受信部）であってもよい。
【００５３】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換する。レシーバ２１０は、ベースバンド信号をコントローラ２３０に出力する。
【００５４】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換する。トランスミッタ２２０は、無線信号をアンテナから送信する。
【００５５】
コントローラ２３０は、ｅＮＢ２００における各種の制御を行う。コントローラ２３０は、プロセッサ及びメモリを含む。メモリは、プロセッサにより実行されるプログラム、及びプロセッサによる処理に使用される情報を記憶する。プロセッサは、ベースバンドプロセッサとＣＰＵとを含む。ベースバンドプロセッサは、例えば、ベースバンド信号の変調・復調及び符号化・復号等を行う。ＣＰＵは、メモリに記憶されるプログラムを実行することにより各種の処理を行う。プロセッサは、後述する各種の処理及び上述した各種の通信プロトコルを実行する。
【００５６】
ネットワークインターフェイス２４０は、Ｘ２インターフェイスを介して隣接ｅＮＢ２００と接続される。ネットワークインターフェイス２４０は、Ｓ１インターフェイスを介してＭＭＥ３００及びＳＧＷ４００と接続される。ネットワークインターフェイス２４０は、例えば、Ｘ２インターフェイス上で行う通信及びＳ１インターフェイス上で行う通信に使用される。
【００５７】
本明細書では、ｅＮＢ２００が備えるトランスミッタ２１０、レシーバ２２０、コントローラ２３０、及びネットワークインターフェイス２４０の少なくともいずれかが実行する処理を、便宜上、ｅＮＢ２００が実行する処理（動作）として説明する。
【００５８】
（第１実施形態に係る動作）
第１実施形態に係る動作について、図６から図１０を用いて説明する。図６は、動作環境を説明するための図である。図７は、第１実施形態に係る動作（その１）を説明するためのシーケンス図である。図８は、第１実施形態に係る動作（その２）を説明するためのシーケンス図である。図９は、第１実施形態に係る動作（その３）を説明するためのシーケンス図である。図１０は、第１実施形態に係る動作（その４）を説明するためのシーケンス図である。
【００５９】
図６に示すように、ｅＮＢ２００Ａは、第１セルを管理する。ｅＮＢ２００Ｂは、第２セルを管理する。ｅＮＢ２００Ｃは、第３セルを管理する。
【００６０】
ＵＥ１００Ｂ及びＵＥ１００Ｄは、第２セルに在圏する。ＵＥがセルに在圏する場合、ＵＥは、セルにキャンプしてもよいし、セルに接続してもよい。従って、ＵＥ１００Ｂ及びＵＥ１００Ｄは、第２セル（ｅＮＢ２００Ｂ）にキャンプしていてもよい。ＵＥ１００Ｂ及びＵＥ１００Ｄは、第２セルを選択していてもよい。ＵＥ１００Ｂ及びＵＥ１００Ｄは、第２セル（ｅＮＢ２００Ｂ）に対してＲＲＣアイドル状態であってもよい。一方、ＵＥ１００Ｂ及びＵＥ１００Ｄは、第２セル（ｅＮＢ２００Ｂ）に接続していてもよい。すなわち、ＵＥ１００Ｂ及びＵＥ１００Ｄは、第２セル（ｅＮＢ２００Ｂ）に対してＲＲＣ接続状態であってもよい。さらに、ＵＥ１００Ｃは、第３セルに在圏する。
【００６１】
各ＵＥ１００（ＵＥ１００ＢからＵＥ１００Ｄ）は、第１セルを選択していない。従って、各ＵＥ１００とｅＮＢ２００Ａとの間にユーザデータを送受信するための接続が確立されていない。一方で、各ＵＥ１００は、ｅＮＢ２００Ａ（第１セル）からの無線信号を受信可能である。従って、各ＵＥ１００は、第１セル内に位置している。
【００６２】
以下において、複数のＵＥ１００を代表して、ＵＥ１００Ｂの動作を中心に説明する。他のＵＥ１００（及びｅＮＢ２００Ｃ）は、同様の動作を実行できる。
【００６３】
第１実施形態では、ｅＮＢ２００ＡとＵＥ１００Ｂとの間に下り制御チャネルが個別に設定される。
【００６４】
まず、ｅＮＢ２００Ａにおける上りリンク干渉を低減するために、ｅＮＢ２００Ａが第１の制御情報をＵＥ１００（ＵＥ１００Ｂ）へ通知する制御について、２つのパターンを説明する。第１のパターンは、ｅＮＢ２００Ａが、ｅＮＢ２００Ｂを介して第１の制御情報をＵＥ１００Ｂへ通知するケースである。第２のパターンは、ｅＮＢ２００Ａが、第１の制御情報をＵＥ１００Ｂへ直接通知するケースである。
【００６５】
ｅＮＢ２００Ａは、上り干渉の検知に関係なく、以下の動作を実行できる。すなわち、ｅＮＢ２００Ａは、上り干渉を検知する前に、第１の制御情報をＵＥ１００Ｂへ通知してもよい。
【００６６】
第１のパターン（図７）では、ステップＳ１１０において、ｅＮＢ２００Ａは、第１の制御情報（ＰＤＮＣＣＨ（Ｐｈｙｓｉｃａｌ  Ｄｏｗｎｌｉｎｋ  Ｎｅｉｇｈｂｏｒ−ｃｅｌｌ  Ｃｏｎｔｒｏｌ  Ｃｈａｎｎｅｌ）  Ｃｏｎｆｉｇ．）をＵＥ１００Ｂへ通知するための要求をｅＮＢ２００Ｂへ送信する。
【００６７】
ｅＮＢ２００Ａは、第１の制御情報をｅＮＢ２００Ｂへ送信してもよい。ｅＮＢ２００Ａは、第１の制御情報をＵＥ１００Ｂへ通知するための要求を送信してもよい。当該要求は、第１の制御情報を含まなくてもよい。すなわち、ｅＮＢ２００Ｂが第１の制御情報（の内容）を決定してもよい。
【００６８】
ステップＳ１２０において、ｅＮＢ２００Ｂ（第２のセル（サービングセル／キャンプセル））は、第１の制御情報をＵＥ１００Ｂへ送信する。従って、第１の制御情報は、ｅＮＢ２００Ｂを介して、ｅＮＢ２００ＡからＵＥ１００Ｂへ通知される。
【００６９】
第１の制御情報は、ＵＥ１００Ｂが特別な下り制御チャネル（ＰＤＮＣＣＨ：Ｐｈｙｓｉｃａｌ  Ｄｏｗｎｌｉｎｋ  Ｎｅｉｇｈｂｏｒ−ｃｅｌｌ  Ｃｏｎｔｒｏｌ  Ｃｈａｎｎｅｌ）を受信するための情報である。ＰＤＮＣＣＨは、ユーザデータを送受信するための接続が確立されていないｅＮＢ２００ＡからＵＥ１００Ｂへ制御情報を運ぶチャネルである。
【００７０】
第１の制御情報は、制御チャネルの送信（受信）に用いられる情報である。第１の制御情報は、サブフレーム情報、リソースブロックの情報、ＲＮＴＩの情報、アンテナポート数の情報、送信方式の情報、ＣＲＳ（Ｃｅｌｌ−ｓｐｅｃｉｆｉｃ  Ｒｅｆｅｒｅｎｃｅ  Ｓｉｇｎａｌ）情報、及びＤＭＲＳ（Ｄｅｍｏｄｕｌａｔｉｏｎ  Ｒｅｆｅｒｅｎｃｅ  Ｓｉｇｎａｌ）情報の少なくともいずれかを含んでもよい。
【００７１】
サブフレーム情報は、ｅＮＢ２００Ａの時間を基準とする情報であってもよい。サブフレーム情報は、ｅＮＢ２００Ｂの時間を基準とする情報であってもよい。送信方式の情報は、ＭＣＳの情報を含んでいてもよい。
【００７２】
サブフレーム情報及びリソースブロックの情報は、第２のセルに対するＵＥ１００ＢのＰＵＳＣＨ（Ｐｈｙｓｉｃａｌ  Ｕｐｌｉｎｋ  Ｓｈａｒｅｄ  ＣＨａｎｎｅｌ）送信リソース（サブフレーム及び／又はリソースブロック）に対する相対値として設定されてもよい。
【００７３】
ＣＲＳ情報及びＤＭＲＳ情報のそれぞれは、シーケンスの情報、アンテナポート数の情報、リソースの情報の少なくともいずれかを含んでいてもよい。
【００７４】
例えば、第１の制御情報は、特別な下り制御チャネルが所定の下りリソースブロック（例えば、システム帯域幅が５０ＲＢである場合、ＲＢ♯０及び４９（先頭の３ＯＦＤＭシンボルを除く））で送信されるように構成されてもよい。ｅＮＢ２００Ｂは、当該リソースブロックをＤＬデータのスケジュールから除外してもよい。
【００７５】
ＵＥ１００Ｂは、第１の制御情報を受信する。ＵＥ１００Ｂは、第１の制御情報に基づいて、後述する第２の制御情報を受信できる。
【００７６】
ステップＳ１３０において、ｅＮＢ２００Ｂは、ｅＮＢ２００Ａからの要求に対する応答（肯定応答（ＡＣＫ：Ａｃｋｎｏｗｌｅｄｇｅ）／否定応答（ＮＡＣＫ：Ｎａｃｋｎｏｗｌｅｄｇｅ））を送信してもよい。
【００７７】
ｅＮＢ２００Ｂは、ＵＥ１００Ｂへ送信した第１の制御情報を応答に含めてもよい。ｅＮＢ２００Ｂは、応答の受信により、第２の制御情報の送信に用いる無線リソース（例えば、時間・周波数リソース）を把握してもよい。
【００７８】
ｅＮＢ２００Ｂは、ｅＮＢ２００Ａからの要求に対して、拒否の応答を送信する場合、ステップＳ１２０の送信を省略してもよい。
【００７９】
第２のパターン（図８）について、説明する。第２のパターンでは、ステップＳ２１０において、ｅＮＢ２００Ａは、ｅＮＢ２００Ｂへリソース情報を要求してもよい。ｅＮＢ２００Ａは、当該要求として干渉制御情報をｅＮＢ２００Ｂへ送信してもよい。干渉制御情報は、例えば、ＵＬ干渉過負荷インディケーション（ＵＬ  Ｉｎｔｅｒｆｅｒｅｎｃｅ  Ｏｖｅｒｌｏａｄ  Ｉｎｄｉｃａｔｉｏｎ）を含んでいてもよい。干渉制御情報は、ＵＬ高干渉インディケーション（ＵＬ  Ｈｉｇｈ  Ｉｎｔｅｒｆｅｒｅｎｃｅ  Ｉｎｄｉｃａｔｉｏｎ）を含んでいてもよい。ＵＬ干渉過負荷インディケーションは、物理リソースブロック（ＰＲＢ：Ｐｈｙｓｉｃａｌ  Ｒｅｓｏｕｒｃｅ  Ｂｌｏｃｋ）毎に干渉過負荷の報告を提供する。
【００８０】
リソース情報は、第１の制御情報をＵＥ１００Ｂへ直接送信するために用いられるリソースの情報である。
【００８１】
ステップＳ２２０において、ｅＮＢ２００Ｂは、リソース情報をｅＮＢ２００Ａへ送信する。ｅＮＢ２００Ａは、リソース情報を受信する。リソース情報は、第１の制御情報を受信するためにＵＥ１００Ｂへ割り当てられた無線リソース（時間・周波数リソース）を含んでいてもよい。
【００８２】
ｅＮＢ２００Ｂは、ｅＮＢ２００Ａからの要求の受信に応じて、リソース情報をｅＮＢ２００Ａへ送信してもよい。ｅＮＢ２００Ｂは、ｅＮＢ２００Ａからの要求を受けたか否かに関わらず、周期的に（又は非周期的に）リソース情報をｅＮＢ２００Ａへ送信してもよい。
【００８３】
ｅＮＢ２００Ｂは、ｅＮＢ２００Ｂの配下の全てのＵＥ１００についてのリソース情報を送信してもよい。ｅＮＢ２００Ｂは、ｅＮＢ２００Ｂの配下の一部のＵＥ１００についてのリソース情報を送信してもよい。例えば、ｅＮＢ２００Ｂからの無線信号を受信しているＵＥ１００についてのリソース情報をｅＮＢ２００Ａ送信してもよい。ｅＮＢ２００Ｂは、ＵＥ１００からのメジャメント報告に基づいて、ＵＥ１００がｅＮＢ２００Ａからの無線信号を受信しているか否かを判定してもよい。ｅＮＢ２００Ｂは、ＵＥ１００の位置情報に基づいて、ＵＥ１００がｅＮＢ２００Ａからの無線信号を受信しているか否かを判定（推定）してもよい。
【００８４】
ステップＳ２３０において、ｅＮＢ２００Ａは、第１の制御情報をＵＥ１００Ｂへ直接送信する。ｅＮＢ２００Ａは、リソース情報に基づいて、第１の制御情報を送信できる。ｅＮＢ２００Ａ（第１のセル）は、ユニキャスト又はブロードキャストにより第１の制御情報を送信できる。ｅＮＢ２００Ａは、第１の制御情報にＵＥ１００Ｂを特定するための情報（識別子）を含めてもよい。或いは、ｅＮＢ２００Ａは、ＵＥ１００Ｂに割り当てられた無線リソースに基づいて第１の制御情報を送信してもよい。
【００８５】
ステップＳ２４０において、ｅＮＢ２００Ａは、第１の制御情報をＵＥ１００Ｂへ送信したことをｅＮＢ２００Ｂへ通知するためのメッセージをｅＮＢ２００Ｂへ送ってもよい。
【００８６】
干渉制御方法について、２つのパターンを説明する。
【００８７】
第１のパターン（図９）では、ステップＳ３１０において、ＵＥ１００Ｂは、ＵＬ信号（ＳＲＳ（Ｓｏｕｎｄｉｎｇ  Ｒｅｆｅｒｅｎｃｅ  Ｓｉｇｎａｌ）又はデータ）を送信する。ＵＥ１００Ｂは、シーケンスの情報と自身の識別子とに基づいてサイクリックシフトした値を用いてＵＬ信号を送信してもよい。ＵＥ１００Ｂは、個別の識別子により算出したキャッシュ値を用いてＵＬ信号を送信してもよい。
【００８８】
ステップＳ３２０において、ｅＮＢ２００Ａは、ＵＥ１００ＢからのＵＬ信号について測定する。ｅＮＢ２００Ａは、ｅＮＢ２００Ａ（第１セル）における上りリンク干渉を測定する。例えば、ｅＮＢ２００Ａは、ＲＳＲＰ（Ｒｅｆｅｒｅｎｃｅ  Ｓｉｇｎａｌ  Ｒｅｃｅｉｖｅｄ  Ｐｏｗｅｒ）及び／又はＲＳＲＱ（Ｒｅｆｅｒｅｎｃｅ  Ｓｉｇｎａｌ  Ｒｅｃｅｉｖｅｄ  Ｑｕａｌｉｔｙ）を測定できる。
【００８９】
ｅＮＢ２００Ａは、ＵＬ信号の測定により得られた情報（サイクリックシフトした値及び／又はキャッシュ値）により、ＵＥ１００Ｂを特定してもよい。ｅＮＢ２００Ａは、ＵＬ信号の送信元のＵＥ１００Ｂを管理するｅＮＢ２００Ｂを特定してもよい。
【００９０】
ｅＮＢ２００Ａは、ＵＬ信号のピーク位置からＵＥ１００Ｂの識別子（個別識別番号）を推定してもよい。ｅＮＢ２００Ａは、ＵＬ信号の送信に用いられた無線リソースに基づいて、ＵＥ１００Ｂ及び／又はＵＥ１００Ｂを管理するｅＮＢ２００Ｂを特定してもよい。例えば、ＵＬ信号の送信に用いられた無線リソースがＵＥ１００Ｂの識別子と関連付けられていてもよい。
【００９１】
ｅＮＢ２００Ａは、ｅＮＢ２００Ｂから受信した情報に基づいて、ＵＥ１００Ｂ又はｅＮＢ２００Ｂを特定してもよい。
【００９２】
ステップＳ３３０において、ｅＮＢ２００Ａは、測定値（上りリンク干渉値：ＵＥ１００ＢからのＵＬ信号の測定値）が閾値を超えたか否かを判定する。
【００９３】
ｅＮＢ２００Ａは、測定値が閾値を超えた場合、ステップＳ３４０の処理を実行する。ｅＮＢ２００Ａは、測定値が閾値未満である場合、処理を終了する。
【００９４】
ステップＳ３４０において、ｅＮＢ２００Ａは、ＰＤＮＣＣＨ上で、第２の制御情報をＵＥ１００Ｂへ直接送信する。ｅＮＢ２００Ａは、ユニキャストにより個別にＵＥ１００Ｂへ第２の制御情報を送信してもよい。ｅＮＢ２００Ａは、ブロードキャスト（例えば、ＳＩＢ：Ｓｙｓｔｅｍ  Ｉｎｆｏｒｍａｔｉｏｎ  Ｂｌｏｃｋ）によりＵＥ１００Ｂへ第２の制御情報を送信してもよい。第２の制御情報は、ＵＥ１００Ｂの識別子を含むことができる。
【００９５】
ｅＮＢ２００ＡとＵＥ１００Ｂとの間に制御情報を送受信するための特別なベアラ（データパス）が形成されていてもよい。当該ベアラは、ｅＮＢ２００ＡとＵＥ１００Ｂとの間にユーザデータを送受信するためのベアラが形成されている場合には、形成できなくてもよい。
【００９６】
第２の制御情報は、ｅＮＢ２００Ａ（第１のセル）における上りリンク干渉を低減するための情報を含む。
【００９７】
第２の制御情報は、送信電力を低減するための内容を含んでいてもよい。例えば、第２の制御情報は、電力低減値（例えば、１ｄＢ）であってもよい。第２の制御情報は、電力決定式に用いられる値（α値：パスロス補償値）を変化させるための値であってもよい。
【００９８】
第２の制御情報は、メッセージの送信先の識別子を含んでいてもよい。例えば、第２の制御情報は、ＵＥ１００Ｂの識別子、ｅＮＢ２００Ｂの識別子、及び第２のセルの識別子の少なくともいずれかの１つを含んでいてもよい。第２の制御情報は、メッセージの送信元の識別子を含んでいてもよい。例えば、第２の制御情報は、ｅＮＢ２００Ａの識別子及び／又は第１セルの識別子を含んでいてもよい。
【００９９】
第２の制御情報は、ｅＮＢ２００Ｂが干渉を受けたリソースの情報を含むことができる。これにより、ＵＥ１００Ｂは、自身が干渉源であるか否かを判定できる。ＵＥ１００Ｂは、電力制御を実行すべきか否かを判定してもよい。例えば、第２の制御情報は、ｅＮＢ２００Ｂが干渉を受けたリソースを示す識別子（サブフレーム、リソースブロック、ＤＭＲＳシーケンス情報のいずれかの識別子）を含むことができる。
【０１００】
上りリンク干渉を低減するためのＵＥ１００Ｂの動作を決定するための情報を含んでいてもよい。ＵＥ１００Ｂは、当該情報に基づいて、図９の動作と図１０の動作とのいずれを実行するか判定してもよい。
【０１０１】
図９では、ステップＳ３５０において、ＵＥ１００Ｂは、第２の制御情報に基づいて、送信電力を低減する。ＵＥ１００Ｂは、第２の制御情報が、ＵＥ１００Ｂの識別子を含まなくても、ｅＮＢ２００Ｂの識別子及び第２のセルの識別子の少なくとも一方を含む場合に、送信電力を低減してもよい。
【０１０２】
ＵＥ１００Ｂは、第２の制御情報が自身宛か不明である場合（例えば、第２の制御情報がブロードキャストにより送信される場合）、ｅＮＢ２００Ａ（第１のセル）からの受信信号の測定値（例えば、ＲＳＲＰ及びＲＳＲＱ）が閾値を超える場合に、送信電力を低減してもよい。
【０１０３】
ステップＳ３６０において、ＵＥ１００Ｂは、ＵＥ１００Ｂの送信電力が低減されることを示す情報（通知）を第２のセル（ｅＮＢ２００Ｂ）へ送信する。ＵＥ１００Ｂは、当該情報を送信した後に、送信電力を低減されてもよい。
【０１０４】
通知は、第２の制御情報の少なくとも一部の内容（例えば、電力低減値）を含んでいてもよい。
【０１０５】
ｅＮＢ２００Ａは、当該通知の受信に応じて、ＵＥ１００Ｂの送信電力が低減されることを知る。ｅＮＢ２００Ａは、当該通知に基づいて、ＵＥ１００Ｂの送信電力を管理する。
【０１０６】
第２のパターン（図１０）では、ステップＳ４１０からＳ４４０は、ステップＳ３１０からＳ３４０に対応する。
【０１０７】
ステップＳ４５０において、ＵＥ１００Ｂは、第２の制御情報の受信に応じて、通知をｅＮＢ２００Ｂ（第２のセル）へ送信する。通知は、第２の制御情報の内容を含んでいてもよい。
【０１０８】
ｅＮＢ２００Ｂは、第２の制御情報を承認するか否かを判定してもよい。ｅＮＢ２００Ｂは、第２の制御情報を承認しない場合、ＵＥ１００Ｂからの通知を無視してもよい。
【０１０９】
ステップＳ４６０において、ｅＮＢ２００Ｂは、送信電力を低減するための第３の制御情報（指示）を送ることができる。ｅＮＢ２００Ｂは、第２の制御情報の内容を考慮して電力低減値を決定してもよい。第３の制御情報に含まれる低減値は、第２の制御情報が示す低減値と同じであってもよいし、異なってもよい。
【０１１０】
第３の制御情報は、送信電力を維持する情報を含んでもよい。
【０１１１】
ステップＳ４７０において、ＵＥ１００Ｂは、第２のセル（ｅＮＢ２００Ｂ）から受信した第３の制御情報に基づいて、送信電力を低減する。
【０１１２】
以上により、ｅＮＢ２００Ｂは、ユーザデータを送受信するための接続が確立されていないＵＥ１００Ｂに対して、第２の送信電力を直接送信できる。これにより、ｅＮＢ２００Ｂが受ける上りリンク干渉を低減することが可能である。
【０１１３】
（第１実施形態の変更例１）
第１実施形態の変更例１について、図１１を用いて説明する。図１１は、第１実施形態の変更例１を説明するためのシーケンス図である。上述と同様の部分は、説明を適宜省略する。
【０１１４】
図１１に示すように、ステップＳ５１０において、ｅＮＢ２００Ａは、下りリンク信号を送信する。ＵＥ１００Ｂは、受信信号を測定（モニタ）する。ＵＥ１００Ｂは、複数のｅＮＢ２００からの受信信号を測定してもよい。ＵＥ１００Ｂは、上述の第１の制御情報と同様に、測定するための制御情報をｅＮＢ２００Ａ又はｅＮＢ２００Ｂから受信していてもよい。
【０１１５】
ＵＥ１００Ｂは、ｅＮＢ２００からの測定値が閾値を超えた場合、送信元のｅＮＢ２００に対して、ステップＳ５３０の処理を実行できる。ＵＥ１００Ｂは、複数のｅＮＢ２００のうち、受信信号が最も大きいｅＮＢ２００（又はパスロスが最も小さいｅＮＢ２００）に対して、ステップＳ５３０の処理を実行してもよい。ＵＥ１００Ｂは、ｅＮＢ２００Ｂに対して、ステップＳ５３０の処理を実行すると決定したと仮定して説明を進める。
【０１１６】
ステップＳ５３０において、ＵＥ１００Ｂは、特別な上り制御チャネル（ＰＵＮＣＣＨ：Ｐｈｙｓｉｃａｌ  Ｕｐｌｉｎｋ  Ｎｅｉｇｈｂｏｒ−ｃｅｌｌ  Ｃｏｎｔｒｏｌ  Ｃｈａｎｎｅｌ）上で、制御情報を送信できる。
【０１１７】
ここでの制御情報は、例えば、ｅＮＢ２００ＡとＵＥ１００Ｂとが近いことを示す情報であってもよい。制御情報は、例えば、第２の制御情報の送信をトリガする情報であってもよい。
【０１１８】
ＰＵＮＣＣＨは、ユーザデータを送受信するための接続が確立されていないＵＥ１００ＢからｅＮＢ２００Ａへ制御情報を運ぶチャネルである。ＵＥ１００Ｂが特別なＰＵＮＣＣＨを送信するための制御情報が第１の制御情報と同様にＵＥ１００Ｂへ通知されていてもよい。当該制御情報は、第１の制御情報と共にＵＥ１００Ｂへ通知されていてもよい。
【０１１９】
制御情報は、ＵＥ１００Ｂの識別子（例えば、ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）を含んでいてもよい。
【０１２０】
ステップＳ５４０において、ｅＮＢ２００Ｂは、制御情報の受信に応じて、第２の制御情報をＵＥ１００Ｂへ送信してもよい。
【０１２１】
その後の動作は、第１実施形態と同様である。
【０１２２】
以上により、ｅＮＢ２００ＢとＵＥ１００Ｂが近い場合に、ｅＮＢ２００Ｂは、ＵＥ１００Ｂへ第２の制御情報をＵＥ１００Ｂへ送信することができる。これにより、ｅＮＢ２００Ｂが受ける上りリンク干渉を低減することが可能である。
【０１２３】
（第１実施形態の変更例２）
第１実施形態の変更例２について、図１２を用いて説明する。図１２は、第１実施形態の変更例２を説明するためのシーケンス図である。上述と同様の部分は、説明を適宜省略する。
【０１２４】
上述した第１実施形態では、第１の制御情報は、各ＵＥ１００に個別にＰＤＮＣＣＨが設定される。本変更例では、１つのｅＮＢ２００配下の複数のＵＥ１００に共通のＰＤＮＣＣＨが設定し得る。
【０１２５】
図１２に示すように、ステップＳ６１０において、ｅＮＢ２００Ｂは、第１の制御情報をブロードキャスト（例えば、ＳＩＢ）により送信できる。これにより、第１の制御情報は、複数のＵＥ１００（ＵＥ１００Ｂ、ＵＥ１００Ｄ（及び／又はＵＥ１００Ｃ））に共通のＰＤＮＣＣＨを設定するための情報である。これにより、ｅＮＢ２００Ｂは、共通のＰＤＮＣＣＨ上で、複数のＵＥ１００へ第２の制御情報を送信できる。
【０１２６】
図７（ステップＳ１１０）において、ｅＮＢ２００Ｂは、共通のＰＤＮＣＣＨを設定するための第１の制御情報をブロードキャストにより送信してもよい。
【０１２７】
ステップＳ６２０は、ステップＳ２５０に対応する。ｅＮＢ２００Ｂは、ｅＮＢ２００Ｃへメッセージを送信してもよい。
【０１２８】
（第１実施形態の変更例３）
第１実施形態の変更例３について、図１３を用いて説明する。図１３は、第１実施形態の変更例３を説明するためのシーケンス図である。上述と同様の部分は、説明を適宜省略する。
【０１２９】
本変更例では、ｅＮＢ２００Ａは、複数のｅＮＢ２００（ｅＮＢ２００Ｂ及びｅＮＢ２００Ｃ）の配下の複数のＵＥ１００に共通のＰＤＮＣＣＨ上で、第２の制御情報を送信できる。
【０１３０】
ステップＳ７１０からＳ７３０は、ステップＳ３１０からステップＳ３３０に対応する。ＵＥ１００Ｂが、ＵＬ信号を送信したと仮定して説明を進める。ＵＥ１００Ｄ（及びＵＥ１００Ｃ）は、ＵＬ信号を送信していないと仮定して説明を進める。
【０１３１】
ステップＳ７３０において、ｅＮＢ２００Ａは、上り干渉の原因であるＵＥ１００Ｂを特定していなくてもよい。ｅＮＢ２００Ａは、上り干渉の原因であるＵＥ１００Ｂを管理するｅＮＢ２００Ｂ（第２のセル）を特定していなくてもよい。
【０１３２】
ステップＳ７４０において、ｅＮＢ２００Ｂは、ＰＤＮＣＣＨ上で、ブロードキャストにより第２の制御情報を送信できる。
【０１３３】
ステップＳ７５０において、各ＵＥ１００は、第２の制御情報の受信に応じて、通知をｅＮＢ２００Ｂ（第２のセル）（又はｅＮＢ２００Ｃ（第３のセル））へ送信できる。
【０１３４】
各ＵＥ１００は、第２の制御情報の送信対象が自身である場合、ステップＳ７５０の動作を実行してもよい。そうでない場合、当該ＵＥ１００は、通知の送信を省略してもよい。各ＵＥ１００は、第２の制御情報に含まれる識別子（ＵＥの識別子、ｅＮＢの識別子、セルの識別子の少なくともいずれか）に基づいて、送信対象を決定できる。
【０１３５】
各ＵＥ１００は、自身が上り干渉の限定であると判定した場合、送信電力制御を実行してもよい（ステップＳ３５０参照）。
【０１３６】
ｅＮＢ２００Ｂ（又はｅＮＢ２００Ｃ）は、通知に基づいて、第３の制御情報の送信対象を決定することができる。ｅＮＢ２００Ｂは、ＵＥ１００Ｂを送信対象と決定できる。
【０１３７】
ステップＳ７６０及びＳ７７０は、ステップＳ４６０及びＳ４７０に対応する。ｅＮＢ２００Ｂは、ＵＥ１００Ｄへは、第３の制御情報を送信しなくてもよい。
【０１３８】
以上により、ｅＮＢ２００Ａは、第２の制御情報をブロードキャストにより送信してもよい。これにより、第２の制御情報を受信できないＵＥ１００は、送信電力制御の対象から外れる。これにより、ｅＮＢ２００Ａにおける上り干渉を有効に制御することができる。
【０１３９】
（第１実施形態の変更例４）
第１実施形態の変更例４について、図１４を用いて説明する。図１４は、第１実施形態の変更例４を説明するための図である。上述と同様の部分は、説明を適宜省略する。
【０１４０】
ｅＮＢ２００Ａは、ＬＡＡ（Ｌｉｃｅｎｓｅｄ−Ａｓｓｉｓｔｅｄ  Ａｃｃｅｓｓ）動作を実行できる。具体的には、ｅＮＢ２００Ａは、アンライセンスドスペクトラムにおけるチャネル（アンライセンスドチャネル））において、第２の制御情報をＵＥ１００Ｂへ送信できる。アンライセンスドスペクトラムは、無線信号の送信に免許を要さないチャネルである。
【０１４１】
ｅＮＢ２００Ａは、アンライセンスドチャネルが空いているか否かを判定できる。すなわち、ｅＮＢ２００Ａは、ＣＣＡ（Ｃｌｅａｒ  ｃｈａｎｎｅｌ  Ａｓｓｅｓｓｍｅｎｔ）を実行する。ＣＣＡでは、ｅＮＢ２００Ａは、アンライセンスドチャネルにおいて電力を測定する。
【０１４２】
ｅＮＢ２００Ａは、チャネルが空いていると判定した第１タイミング（Ｔ１）と、参照信号（ＤＲＳ）又はデータ信号（ＤＡＴＡ）の送信を開始する第２タイミング（Ｔ２）との間で、第２の制御情報を送信できる。ｅＮＢ２００Ａは、第１タイミングと第２タイミングとの間の所定期間（第１期間）において、第２の制御情報以外の領域で疑似ノイズ信号を送信してもよい。第１期間は、参照信号及びデータ信号が送信できない期間である。
【０１４３】
第１の制御情報は、ｅＮＢ２００ＡがＣＣＡを実行するタイミング（及びアンライセンスドチャネル）を含んでいてもよい。ＵＥ１００Ｂは、第１の制御情報に基づいて、ｅＮＢ２００Ａから第２の制御情報を受信してもよい。ＵＥ１００Ｂは、第２の制御情報の受信に応じて、上述の動作を実行できる。
【０１４４】
ｅＮＢ２００Ａは、参照信号又はデータ信号が送信される領域において、空きリソースを用いて第２の制御情報を送信してもよい。ｅＮＢ２００Ａは、第１期間と参照信号又はデータ信号が送信される第２期間との両方において、第２の制御情報を送信してもよい。ｅＮＢ２００Ａは、第１期間と第２期間との一方において、第２の制御情報を送信してもよい。
【０１４５】
ｅＮＢ２００Ａは、第２期間において送信する場合、制御領域に存在するブランクのリソースブロックを用いて第２の制御情報を送信してもよい。例えば、ｅＮＢ２００は、第２の制御情報を送信するために、第２期間の制御領域において、ＣＲＳ（Ｃｅｌｌ−ｓｐｅｃｉｆｉｃ  Ｒｅｆｅｒｅｎｃｅ  Ｓｉｇｎａｌ）及び同期信号（ＰＳＳ（Ｐｒｉｍａｒｙ  Ｓｙｎｃｈｒｏｎｉｚａｔｉｏｎ  Ｓｉｇｎａｌ）／ＳＳＳ（Ｓｅｃｏｎｄａｒｙ  Ｓｙｎｃｈｒｏｎｉｚａｔｉｏｎ  Ｓｉｇｎａｌ））の送信に用いられないブランクのリソースエレメントを用いることができる。
【０１４６】
［第２実施形態］
第２実施形態について、図１５を用いて説明する。図１５は、第２実施形態を説明するためのシーケンス図である。上述と同様の部分は、説明を適宜省略する。
【０１４７】
図１５において、ステップＳ８１０からＳ８３０は、ステップＳ３１０からＳ３３０に対応する。
【０１４８】
ステップＳ８３０において、ｅＮＢ２００Ａは、上りリンク干渉信号を送信元であるＵＥ１００Ｂを管理するｅＮＢ２００Ｂを特定する。ｅＮＢ２００Ａは、ＵＥ１００Ｂを特定してもよい。
【０１４９】
ステップＳ８４０において、ｅＮＢ２００Ａは、上りリンク干渉を低減するための制御情報を含む要求（Ｐｏｗｅｒ  ｒｅｄｕｃｔｉｏｎ  ｒｅｑｕｅｓｔ）をｅＮＢ２００Ｂへ送信する。制御情報は、上述の第２の制御情報に含まれる情報を含んでいてもよい。
【０１５０】
ここで、上述の第１実施形態の変更例４と同様に、ｅＮＢ２００Ａは、アンライセンスドチャネルにおいて、制御情報をｅＮＢ２００Ｂへ送信できる。ｅＮＢ２００Ａは、ユニキャスト又はブロードキャストにより制御情報を送信してもよい。制御情報は、ＵＥ１００Ｂの識別子、ｅＮＢ２００Ａの識別子、第２のセルの識別子、上り干渉を受けたリソースを示す識別情報の少なくともいずれかを含んでいてもよい。
【０１５１】
ｅＮＢ２００Ａは、第１期間（Ｔ１とＴ２との間の期間）と第２期間（Ｔ２以後の期間）との両方において、制御情報を送信してもよい（図１４参照）。ｅＮＢ２００Ａは、第１期間と第２期間との一方において、制御情報を送信してもよい。
【０１５２】
ｅＮＢ２００ＡとｅＮＢ２００Ｂとは、当該要求の送信に用いられるリソースの情報を交換していてもよい。
【０１５３】
ステップＳ８５０において、ｅＮＢ２００Ｂは、受信した要求（制御情報）に基づいて、ＵＥ１００Ｂへ送信電力を低減するための制御情報（指示）を送ることができる。
【０１５４】
ステップＳ８６０は、ステップＳ４７０に対応する。
【０１５５】
（第２実施形態の変更例）
第２実施形態について、図１６を用いて説明する。図１６は、第２実施形態の変更例を説明するためのシーケンス図である。上述と同様の部分は、説明を適宜省略する。
【０１５６】
図１６において、ステップＳ９１０において、ｅＮＢ２００Ｂは、（例えば、ＵＥ１００Ｂに対して）下り信号（ＤＬ信号）を送信する。
【０１５７】
ステップＳ９２０において、ｅＮＢ２００Ａは、ｅＮＢ２００Ｂからの干渉信号を測定する。
【０１５８】
ステップＳ９３０は、ステップＳ３３０と同様に、測定値（ｅＮＢ２００ＢからのＤＬ信号の測定値）が閾値を超えるか否かを判定する。
【０１５９】
ｅＮＢ２００Ａは、測定値が閾値を超えた場合、ステップＳ９４０の処理を実行する。ｅＮＢ２００Ａは、測定値が閾値未満である場合、処理を終了する。
【０１６０】
ステップＳ９４０において、上述と同様に、ｅＮＢ２００Ａは、アンライセンスドチャネルにおいて制御情報をｅＮＢ２００Ｂへ送信できる。
【０１６１】
ｅＮＢ２００Ａは、第１期間（Ｔ１とＴ２との間の期間）と第２期間（Ｔ２以後の期間）との両方において、制御情報を送信してもよい（図１４参照）。ｅＮＢ２００Ａは、第１期間と第２期間との一方において、制御情報を送信してもよい。
【０１６２】
制御情報は、ｅＮＢ２００Ｂの送信電力を低減するための情報である。制御情報は、ｅＮＢ２００Ｂの電力低減値を含んでいてもよい。第２の制御情報は、電力決定式に用いられる値（α値：パスロス補償値）を変化させるための値であってもよい。制御情報は、上述のＵＥ１００Ｂの送信電力を低減するための情報を含んでいてもよい。
【０１６３】
［その他の実施形態］
上述した実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１６４】
上述において、ｅＮＢ２００Ａは、上り干渉の検知に関係なく、第１の制御情報をＵＥ１００へ通知するための動作を実行できる。従って、ｅＮＢ２００Ａは、上り干渉を検知した後であっても、第１の制御情報をＵＥ１００へ通知するための動作を実行してもよい。例えば、ｅＮＢ２００Ａは、上り干渉の原因（ＵＥ１００）が不明である場合に、第１の制御情報をＵＥ１００へ通知するための動作を実行してもよい。
【０１６５】
上述した各実施形態において、ｅＮＢ２００Ｂ（ｅＮＢ２００Ｃ）は、配下のＵＥ１００に対して、ＵＥ１００の負荷を低減するために、ｅＮＢ２００Ａからの第２の制御情報を受信するか否かを示す指示（情報）を送信してもよい。ＵＥ１００は、指示に基づいて、第２の制御情報を受信するための動作を実行するか否かを判定してもよい。
【０１６６】
上述した各実施形態に係る動作は、適宜組み合わせて実行されてもよい。上述した各シーケンスにおいて、必ずしも全ての動作が必須の構成ではない。例えば、各シーケンスにおいて、一部の動作のみが実行されてもよい。
【０１６７】
上述した各実施形態では特に触れていないが、上述した各ノード（ＵＥ１００、ｅＮＢ２００など）のいずれかが行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１６８】
或いは、ＵＥ１００、及びｅＮＢ２００のいずれかが行う各処理を実行するためのプログラムを記憶するメモリ及びメモリに記憶されたプログラムを実行するプロセッサ）によって構成されるチップが提供されてもよい。
【０１６９】
上述した実施形態では、移動通信システムの一例としてＬＴＥシステムを説明したが、ＬＴＥシステムに限定されるものではなく、ＬＴＥシステム以外のシステムに本出願に係る内容を適用してもよい。
【０１７０】
日本国特許出願第２０１６−０９４３３４号（２０１６年５月１０日出願）の全内容が、参照により、本願明細書に組み込まれている。
【図１】
0006746082.tif 000002
【図２】
0006746082.tif 000003
【図３】
0006746082.tif 000004
【図４】
0006746082.tif 000005
【図５】
0006746082.tif 000006
【図６】
0006746082.tif 000007
【図７】
0006746082.tif 000008
【図８】
0006746082.tif 000009
【図９】
0006746082.tif 000010
【図１０】
0006746082.tif 000011
【図１１】
0006746082.tif 000012
【図１２】
0006746082.tif 000013
【図１３】
0006746082.tif 000014
【図１４】
0006746082.tif 000015
【図１５】
0006746082.tif 000016
【図１６】
0006746082.tif 000017